(57)【要約】【課題】最終使用段階にあるチューブ容器の頭部内に残っている内容物を、無駄にすることなく容易に使用することができるチューブ絞り具の提供を課題とする。【解決手段】板状の挟持板２０と挟持板３０とは、その一端に設けられているヒンジ部４０によって開閉自在に構成されている。挟持板２０には、チューブ容器の注出口が挿通可能な挿入口２１とチューブ容器の肩部が嵌合可能な凹部２２とが設けられている。挟持板３０には、挿入口２１および凹部２２によって形成される空間と略同形状で、この空間に埋没可能な大きさの突起部３１が設けられている。【選択図】図６
2010228771.tif 000002
【特許請求の範囲】
【請求項１】
円筒状の注出口と該注出口の下端部に連設され当該注出口の周辺方向に延在する肩部とからなる頭部を一端部側に有し、他端部側が閉止状態となっている変形自在なチューブ容器に収納されている内容物を絞り出すチューブ絞り具であって、
板状の第１の挟持板と第２の挟持板とによって構成され、
前記第１の挟持板には、前記チューブ容器の注出口が挿通可能な挿通口と、該挿通口の周辺部分に形成された凹部であって前記チューブ容器の肩部が嵌合可能な凹部とが形成され、
前記第２の挟持板には、前記第１の挟持板の前記挿通口および前記凹部によって形成される空間と略同じ形状で且つ当該空間内に埋没可能な大きさを有する突起部が形成されていることを特徴とするチューブ絞り具。
【請求項２】
前記第２の挟持板の前記突起部を、前記第１の挟持板の前記挿通口および前記凹によって形成される空間に埋没させるように前記第２の挟持板を前記第１の挟持板に重ね合わせた状態から、前記第２の挟持板が前記第１の挟持板に対して回動可能となるように前記第２の挟持板の端部と前記第１の挟持板との間にヒンジ部が設けられていることを特徴とする請求項１に記載のチューブ絞り具。
【請求項３】
前記第１の挟持板と前記第２の挟持板とは同形状の同じ大きさであり、前記ヒンジ部は、前記第２の挟持板を前記第１の挟持板に一致させるように重ね合わせた状態で前記第２の挟持板の前記端部に対向する前記第１の挟持板の端部と前記第２の挟持板の前記端部との間に設けられ、前記第１の挟持板および前記第２の挟持板の前記ヒンジ部が設けられている端部とは反対側のそれぞれの端部には、前記第２の挟持板を前記第１の挟持板に重ね合わせた状態で当該状態を保持するように互いに着脱自在に係合する係止部が設けられ、前記第２の挟持板の前記ヒンジ部から前記突起部までの長さは前記チューブ容器の幅よりも長い長さに選ばれていることを特徴とする請求項２に記載のチューブ絞り具。
【請求項４】
前記第１の挟持板と前記第２の挟持板に加えて、前記第１の挟持板と同形状の同じ大きさの第３の挟持板をさらに具え、前記第２の挟持板を前記第１の挟持板に重ね合わせ当該第２の挟持板が重ね合っている面とは反対側の前記第１の挟持板の面に前記第３の挟持板を前記第１の挟持板に一致するように重ね合わせた状態で、前記第１の挟持板の前記挿通口と対向する前記第３の挟持板の部分には当該挿通口と同じ径を有する挿通口が形成され、前記第１の挟持板と前記第３の挟持板との互いに対向している端部間には前記第１の挟持板に対して前記第３の挟持板が回動可能となるようなヒンジ部が設けられ、当該ヒンジ部とは反対側に位置する前記第１の挟持板と前記第３の挟持板との各端部には当該第１および第３の挟持板が重ね合った状態で当該状態を保持するように互いに着脱自在に係合する係止部がそれぞれに設けられ、前記第３の挟持板の前記ヒンジ部から前記挿通口までの長さは前記チューブ容器の幅よりも長い長さに選ばれていることを特徴とする請求項２に記載のチューブ絞り具。
【発明の詳細な説明】
【技術分野】
【０００１】
本発明は、チューブ容器に収納されている内容物をチューブ容器から絞り出すチューブ絞り具に関するものである。
【背景技術】
【０００２】
従来から医薬品やその他の多くの物品が図１４（ａ）に示したようなチューブ容器１に収納された状態で販売され、使用されている。
【０００３】
このような変形自在チューブ容器１は、通常、図１４（ａ）に示したように、端部の一方側が閉止状態に加工されており、他方側には、円筒状の注出口２とその下端部に連設され注出口２の周辺方向に延在する肩部とからなる頭部４を具えている。
【０００４】
チューブ容器１の内容物を使用する場合、使用者は、図１４（ｂ）に示したようにチューブ容器１を押して注出口２から適量の内容物を外部に注出させてこれを使用する。そして、図１４（ｃ）に示したように、チューブ容器１を絞っても注出口２から内容物が出てこなくなった最終使用段階になったとき、使用者はこのチューブ容器１を廃棄して、新たなチューブ容器（図１（ａ）の状態のチューブ容器）に収納されている内容物を使用することになる。
【発明の概要】
【発明が解決しようとする課題】
【０００５】
しかしながら、図１（ｃ）のような状態になって廃棄されるチューブ容器１の頭部４の内には、まだ内容物が残っており、この頭部４内に残存している内容物を使用する場合、使用者は、チューブ容器１を切断した後、スプーン等を用いて頭部４内の内容物を掻き出すなどしなければならなかった。
【０００６】
即ち、従来は、最終使用段階にあるチューブ容器１の頭部４内の残存内容物は容易に使用することができないという問題点があった。殊に、内容物が少量で高価である医療品である場合には、この頭部４内の残存内容物の量が１ないし数回の使用量になることもあり、チューブ容器１とともにこの残存内容物を使用せずに廃棄するというこの問題点は、医療費の高騰を招く一因ともなってしまう。
【課題を解決するための手段】
【０００７】
以上の問題点を解消するために、本発明は、円筒状の注出口と該注出口の下端部に連設され当該注出口の周辺方向に延在する肩部とからなる頭部を一端部側に有し、他端部側が閉止状態となっている変形自在なチューブ容器に収納されている内容物を絞り出すチューブ絞り具であって、板状の第１の挟持板と第２の挟持板とによって構成され、前記第１の挟持板には、前記チューブ容器の注出口が挿通可能な挿通口と、該挿通口の周辺部分に形成された凹部であって前記チューブ容器の肩部が嵌合可能な凹部とが形成され、前記第２の挟持板には、前記第１の挟持板の前記挿通口および前記凹部によって形成される空間と略同じ形状で且つ当該空間内に埋没可能な大きさを有する突起部が形成されていることを特徴とするものである。
【０００８】
ここで、前記第２の挟持板の前記突起部を、前記第１の挟持板の前記挿通口および前記凹によって形成される空間に埋没させるように前記第２の挟持板を前記第１の挟持板に重ね合わせた状態から、前記第２の挟持板が前記第１の挟持板に対して回動可能となるように前記第２の挟持板の端部と前記第１の挟持板との間にヒンジ部が設けられていてもよい。さらに、前記第１の挟持板と前記第２の挟持板とは同形状の同じ大きさであり、前記ヒンジ部は、前記第２の挟持板を前記第１の挟持板に一致させるように重ね合わせた状態で前記第２の挟持板の前記端部に対向する前記第１の挟持板の端部と前記第２の挟持板の前記端部との間に設けられ、前記第１の挟持板および前記第２の挟持板の前記ヒンジ部が設けられている端部とは反対側のそれぞれの端部には、前記第２の挟持板を前記第１の挟持板に重ね合わせた状態で当該状態を保持するように互いに着脱自在に係合する係止部が設けられ、前記第２の挟持板の前記ヒンジ部から前記突起部までの長さは前記チューブ容器の幅よりも長い長さに選ばれるようにしてもよく、または、前記第１の挟持板と前記第２の挟持板に加えて、前記第１の挟持板と同形状の同じ大きさの第３の挟持板をさらに具え、前記第２の挟持板を前記第１の挟持板に重ね合わせ当該第２の挟持板が重ね合っている面とは反対側の前記第１の挟持板の面に前記第３の挟持板を前記第１の挟持板に一致するように重ね合わせた状態で、前記第１の挟持板の前記挿通口と対向する前記第３の挟持板の部分には当該挿通口と同じ径を有する挿通口が形成され、前記第１の挟持板と前記第３の挟持板との互いに対向している端部間には前記第１の挟持板に対して前記第３の挟持板が回動可能となるようなヒンジ部が設けられ、当該ヒンジ部とは反対側に位置する前記第１の挟持板と前記第３の挟持板との各端部には当該第１および第３の挟持板が重ね合った状態で当該状態を保持するように互いに着脱自在に係合する係止部がそれぞれに設けられ、前記第３の挟持板の前記ヒンジ部から前記挿通口までの長さは前記チューブ容器の幅よりも長い長さに選ばれるようにしてもよい。
【発明の効果】
【０００９】
本発明によれば、最終使用段階にあるチューブ容器の頭部内に残っている内容物を、無駄にすることなく容易に使用することができる。
【図面の簡単な説明】
【００１０】
【図１】本発明の実施例１の構成を示す斜視図である。
【図２】本発明の実施例１の部品の構成を示す構成図である。
【図３】本発明の実施例１の部品の構成を示す構成図である。
【図４】本発明の実施例１の使用方法を示す説明図である。
【図５】本発明の実施例１の使用方法を示す説明図である。
【図６】本発明の実施例１の他の構成を示す斜視図である。
【図７】本発明の実施例１の他の構成を示す構成図である。
【図８】本発明の実施例１の他の構成の使用方法を示す説明図である。
【図９】本発明の実施例１の他の構成の使用方法を示す説明図である。
【図１０】本発明の実施例２の構成を示す斜視図である。
【図１１】本発明の実施例２の他の構成を示す斜視図である。
【図１２】本発明の実施例２の他の構成の使用方法を示す説明図である。
【図１３】本発明の実施例２の他の構成の使用方法を示す説明図である。
【図１４】従来のチューブ容器の説明図である。
【発明を実施するための形態】
【００１１】
以下、図面を用いて本発明の実施例について説明する。
【実施例１】
【００１２】
図１は、本発明の実施例１の構成を示した斜視図である。図１に示したように本実施例１は板状の第１の挟持板２０と、これと略同形状で同じ大きさの第２の挟持板３０とによって構成されている。第１の挟持板２０の平面図と断面図とを図２に示し、第２の挟持板３０の平面図と断面図とを図３に示す。
【００１３】
図１ないし図３において、第１の挟持板である挟持板２０には、使用対象に予定されているチューブ容器の円筒状の注出口が挿通可能な挿通口２１と、この挿通口２１の周辺部分に形成された凹部であって使用対象に予定されているチューブ容器の肩部が嵌合できる形状に形成されている凹部２２とが設けられている。
【００１４】
また、第２の挟持板である挟持板３０には、挟持板２０に設けられている挿通口２１および凹部２２によって形成される空間と略同じ形状であり、この空間内に埋没可能な大きさを有する突起部３１が形成されている。
【００１５】
以上のように構成された本実施例１を用いれば、図４に示したように、最終使用段階のチューブ容器１の肩部２１を挟持板２０の凹部２２に嵌合させ、その凹部２２の下側に挟持板３０の突起部３１を位置させて、挟持板２０と挟持板３０との距離が縮まる方向に力を加えれば、チューブ容器１の頭部４内に残在している内容物を注出口２から外部に簡単に出すことができる。
【００１６】
このようにして、チューブ容器１の頭部４内の残存内容物を外部に出し終った状態の断面図を図５に示す。
【００１７】
以上説明した実施例１においては挟持板２０に挟持板３０が一致するように重ね合わせた状態において、それぞれの挟持板２０，３０の互いに対向することとなる端部に、図６に示したようにヒンジ部４０を設けておいてもよい。図７は、図６に示した実施例の断面図と、挟持板２０と挟持板３０とを重ね合わせた状態における側面図である。
【００１８】
ここで、図６，図７に示したように挟持板２０と挟持板３０とを重ね合わせた状態において互いに着脱自在に係合する係止部４１ａ，４１ｂをヒンジ部４０とは反対側の挟持板２０，３０の端部に設けておき、且つ、挟持板３０のヒンジ部４０と突起部３１との長さを、使用対象に予定されているチューブ容器の幅よりも長い長さに選んでおけば、本実施例は以下のように使用することができる。
【００１９】
すなわち、図８に示したように、チューブ容器１内の内容物の量が少なくなった段階で、チューブ容器１の頭部４側に内容物を寄せておいて、その内容物が入っている部分の下側のチューブ容器を挟持板２０と挟持板３０とで挟み、この状態を係止部４１ａ，４１ｂによって保持するようにしておけば、使用者は、チューブ容器１の内容物の入っている部分を押すだけで簡単に適量の内容物を外部に出すことができる。
【００２０】
そして、チューブ容器１の状態が最終使用段階になった場合には、図９に示したように、チューブ容器１の肩部３を挟持板２０の凹部に嵌合させて、挟持板２０と挟持板３０とでチューブ容器１の肩部３を挟み込むように力を加えればチューブ容器１の頭部４内に残存している内容物を簡単に外部に出すことができる。
【実施例２】
【００２１】
先に説明した実施例１においては、第１の挟持板２０と第２の挟持板３０とは略同形状で同じ大きさに選ばれていたが本発明は、このような挟持板の大きさによって限定されるものではない。
【００２２】
図１０は、本発明の実施例２の構成を示した斜視図である。
【００２３】
図１０に示したように、挟持板３０の大きさは、挟持板２０の大きさよりも小さくしても本発明の効果は十分に得ることができる。
【００２４】
この場合、ヒンジ部４０は、図１０に示したように挟持板３０の端部と挟持板２０の上面との間に設けておけばよい。
【００２５】
さらに、図１１に示したように、挟持板２０の挿通口２１と同一の径を有する挿通口５１が形成され、挟持板２０と略同形状で同じ大きさの挟持板５０と、挟持板２０と挟持板５０との間のヒンジ部６０と、挟持板５０と挟持板２０とが重なり合った状態で互いに着脱自在に係合する係止部６１ａ，６１ｂとを設けておけば、図１２に示したように、チューブ容器１の内容物の量が少なくなった場合には、先に実施例１で説明したようにチューブ容器１を挟持板５０と挟持板２０とで挟み込むことにより、残っている内容物を簡単に外部に出すようにすることができる。
【００２６】
そして、チューブ容器１の状態が最終使用段階になった場合には、図１３に示したように、挟持板２０の凹部２２にチューブ容器１の肩部３を嵌合させて、挟持板２０と挟持板３０とでチューブ容器１の頭部４を挟み込むように力を加えれば、頭部４内に残っている内容物を簡単に外部に出すことができる。
【符号の説明】
【００２７】
１  チューブ容器
２  注出口
３  肩部
４  頭部
２０，３０，５０  挟持板
２１，５１  挿通口
２２  凹部
３１  突起部
４０，６０  ヒンジ部
４１ａ，４１ｂ，６１ａ，６１ｂ  係止部
【図１】
2010228771.tif 000003
【図２】
2010228771.tif 000004
【図３】
2010228771.tif 000005
【図４】
2010228771.tif 000006
【図５】
2010228771.tif 000007
【図６】
2010228771.tif 000008
【図７】
2010228771.tif 000009
【図８】
2010228771.tif 000010
【図９】
2010228771.tif 000011
【図１０】
2010228771.tif 000012
【図１１】
2010228771.tif 000013
【図１２】
2010228771.tif 000014
【図１３】
2010228771.tif 000015
【図１４】
2010228771.tif 000016
【手続補正書】
【提出日】平成21年5月14日(2009.5.14)
【手続補正１】
【補正対象書類名】明細書
【補正対象項目名】０００４
【補正方法】変更
【補正の内容】
【０００４】
チューブ容器１の内容物を使用する場合、使用者は、図１４（ｂ）に示したようにチューブ容器１を押して注出口２から適量の内容物を外部に注出させてこれを使用する。そして、図１４（ｃ）に示したように、チューブ容器１を絞っても注出口２から内容物が出てこなくなった最終使用段階になったとき、使用者はこのチューブ容器１を廃棄して、新たなチューブ容器（図１４（ａ）の状態のチューブ容器）に収納されている内容物を使用することになる。
【手続補正２】
【補正対象書類名】明細書
【補正対象項目名】０００５
【補正方法】変更
【補正の内容】
【０００５】
しかしながら、図１４（ｃ）のような状態になって廃棄されるチューブ容器１の頭部４の内には、まだ内容物が残っており、この頭部４内に残存している内容物を使用する場合、使用者は、チューブ容器１を切断した後、スプーン等を用いて頭部４内の内容物を掻き出すなどしなければならなかった。